(57)【要約】【課題】従来の表示装置では、適視範囲を拡大することが困難である。【解決手段】互いに対向する一対の基板２１及び２３と、一対の基板２１及び２３間に、一対の基板２１及び２３によって保持された状態で介在し、第１の画像を形成する第１の画素及び第２の画像を形成する第２の画素を少なくとも含む複数の画素の前記画素ごとに駆動される液晶２５と、を有し、一対の基板２１及び２３のうちの一方と液晶２５との間に、前記第１の画素を経て第１の方向に向かう光と前記第２の画素を経て第２の方向に向かう光とを発する複数の発光部２７が、互いに間隔をあけた状態で設けられていることを特徴とする電気光学装置。【選択図】図２
2009063956.tif 000002
【特許請求の範囲】
【請求項１】
互いに対向する一対の基板と、
前記一対の基板間に、前記一対の基板によって保持された状態で介在し、第１の画像を形成する第１の画素及び第２の画像を形成する第２の画素を少なくとも含む複数の画素の前記画素ごとに駆動される液晶と、を有し、
前記一対の基板のうちの一方の前記基板と前記液晶との間に、前記第１の画素を経て第１の方向に向かう光と前記第２の画素を経て第２の方向に向かう光とを発する複数の発光部が、平面視で互いに間隔をあけた状態で設けられていることを特徴とする電気光学装置。
【請求項２】
前記複数の発光部と前記液晶との間に、各前記発光部からの光の偏光状態を規定する偏光素子が介在することを特徴とする請求項１に記載の電気光学装置。
【請求項３】
平面視で前記複数の発光部同士間を覆う遮光膜が設けられていることを特徴とする請求項１又は２に記載の電気光学装置。
【請求項４】
前記複数の発光部は、少なくとも隣り合う２つの前記発光部の間で一連した状態で設けられた発光層の前記液晶側に前記遮光膜を設けることによって構成されていることを特徴とする請求項３に記載の電気光学装置。
【請求項５】
前記一方の基板と前記複数の発光部との間で、少なくとも前記複数の発光部のそれぞれに平面視で重なる領域に反射膜が設けられていることを特徴とする請求項１乃至４のいずれか一項に記載の電気光学装置。
【請求項６】
前記一方の基板と前記発光層との間で、前記発光層に平面視で重なる領域にわたって反射膜が設けられていることを特徴とする請求項４に記載の電気光学装置。
【請求項７】
前記発光層と前記遮光膜との間で、前記発光層と前記遮光膜とが平面視で重なる領域に反射膜が設けられていることを特徴とする請求項６に記載の電気光学装置。
【請求項８】
互いに対向する一対の基板と、
前記一対の基板間に、前記一対の基板によって保持された状態で介在し、第１の画像を形成する複数の第１の画素及び第２の画像を形成する複数の第２の画素を含む複数の画素の前記画素ごとに駆動される液晶と、
前記一対の基板のうちの一方の前記基板と前記液晶との間に設けられ、前記第１の画素を経て第１の方向に向かう光と前記第２の画素を経て第２の方向に向かう光とを発する複数の発光部と、を有し、
前記複数の第１の画素及び前記複数の第２の画素は、それぞれ、赤系の色を呈する光を透過可能な赤系画素と、緑系の色を呈する光を透過可能な緑系画素と、青系の色を呈する光を透過可能な青系画素と、を有しており、
前記複数の発光部は、赤系の色を呈する前記光を発する赤系発光部と、緑系の色を呈する前記光を発する緑系発光部と、青系の色を呈する前記光を発する青系発光部とを、平面視で並べた構成を有することを特徴とする電気光学装置。
【請求項９】
前記一対の基板のうちの他方の前記基板と前記液晶との間で、前記複数の画素に平面視で重なる領域に反射膜が設けられていることを特徴とする請求項１に記載の電気光学装置。
【請求項１０】
前記一方の基板と前記複数の発光部との間に、平面視で前記複数の発光部のそれぞれを覆う遮光膜が設けられていることを特徴とする請求項９に記載の電気光学装置。
【請求項１１】
前記複数の発光部が、エレクトロルミネセンス素子で構成されていることを特徴とする請求項１乃至１０のいずれか一項に記載の電気光学装置。
【請求項１２】
前記複数の発光部と前記液晶との間に樹脂層が介在していることを特徴とする請求項１乃至１１のいずれか一項に記載の電気光学装置。
【請求項１３】
互いに対向する一対の基板と、
前記一対の基板間に、前記一対の基板によって保持された状態で介在し、複数の画素の前記画素ごとに駆動される液晶と、を有し、
前記一対の基板のうちの一方の前記基板と前記液晶との間に、前記複数の画素に入射させる光を発する発光部が設けられていることを特徴とする電気光学装置。
【請求項１４】
請求項１乃至１３のいずれか一項に記載の電気光学装置を表示部として備えたことを特徴とする電子機器。
【発明の詳細な説明】
【技術分野】
【０００１】
本発明は、電気光学装置及び電子機器に関する。
【背景技術】
【０００２】
従来、電気光学装置の１つとして、複数の方向から見たときに、それぞれの視方向ごとに異なる画像を表示（以下、指向性表示と呼ぶ）することができる表示装置が知られている。このような表示装置としては、開口部と遮光部とを有するバリアを介して複数の視点のそれぞれに、互いに異なる画像を表示することができるものがある（例えば、特許文献１参照）。
【０００３】
【特許文献１】特許第３０９６６１３号公報（第２頁、図２１）
【発明の開示】
【発明が解決しようとする課題】
【０００４】
ここで、画像を形成する表示パネルと上記のバリアとを有する表示装置で、２つの方向に指向性表示を行う仕組みについて、断面図を用いて説明する。表示パネル６００は、図３１（ａ）に示すように、第１の画像を表示する第１の画素６０１と、第２の画像を表示する第２の画素６０３とを有している。表示パネル６００に重ね合わされるバリア６０５には、第１の画素６０１と第２の画素６０３とに重なる領域に開口部６０７が設けられている。隣り合う開口部６０７同士の間には、遮光部６０９が位置している。第１の画素６０１及び第２の画素６０３には、照明装置６１０からの光がバリア６０５の開口部６０７を介して入射される。
【０００５】
開口部６０７を介して第１の画素６０１に入射された光は、第１の範囲６１１に及ぶ。また、開口部６０７を介して第２の画素６０３に入射された光は、第２の範囲６１３に及ぶ。つまり、第１の範囲６１１内にある視点からは第１の画像が視認され、第２の範囲６１３内にある視点からは第２の画像が視認され得る。なお、第１の範囲６１１及び第２の範囲６１３は、互いに重なる範囲６１５を有している。範囲６１５内にある視点からは、第１の画像と第２の画像とが重畳した状態で視認される。
【０００６】
第１の範囲６１１から範囲６１５を除いた範囲６１９ａ内にある視点からは、第１の画像だけが視認され得る。同様に、第２の範囲６１３から範囲６１５を除いた範囲６１９ｂ内にある視点からは、第２の画像だけが視認され得る。範囲６１９ａ及び範囲６１９ｂは、それぞれ、適視範囲６１９ａ及び適視範囲６１９ｂと呼ばれる。
ここで、適視範囲６１９ａ及び適視範囲６１９ｂは、図３１（ｂ）に示すように、表示パネル６００とバリア６０５との間の距離ｔを短縮することによって拡大され得る。
【０００７】
ところで、バリアが重ね合わされる表示パネルは、多くの場合、一対のガラス基板間に表示素子が介在した構成を有している。このような構成で適視範囲を拡大するには、バリアが重ね合わされる側のガラス基板を薄くしなければならない。しかしながら、ガラス基板を薄くすることは、基板強度の低下に起因して、歩留まりの低下、製造時間の長期化、品質の低下等の多くの弊害を招来してしまうことにつながる。
つまり、従来の表示装置では、適視範囲を拡大することが困難であるという未解決の課題がある。
【課題を解決するための手段】
【０００８】
本発明は、上述の課題の少なくとも一部を解決するためになされたものであり、以下の形態又は適用例として実現され得る。
【０００９】
［適用例１］互いに対向する一対の基板と、前記一対の基板間に、前記一対の基板によって保持された状態で介在し、第１の画像を形成する第１の画素及び第２の画像を形成する第２の画素を少なくとも含む複数の画素の前記画素ごとに駆動される液晶と、を有し、前記一対の基板のうちの一方の前記基板と前記液晶との間に、前記第１の画素を経て第１の方向に向かう光と前記第２の画素を経て第２の方向に向かう光とを発する複数の発光部が、平面視で互いに間隔をあけた状態で設けられていることを特徴とする電気光学装置。
【００１０】
適用例１の電気光学装置は、一対の基板と、一対の基板間に介在する液晶と、複数の発光部と、を有している。液晶は、一対の基板によって保持されており、複数の画素の画素ごとに駆動される。複数の画素には、少なくとも、第１の画素と第２の画素とが含まれる。複数の発光部は、平面視で互いに間隔をあけた状態で設けられている。各発光部は、第１の画素を経て第１の方向に向かう光と第２の画素を経て第２の方向に向かう光とを発する。これにより、第１の方向からは、第１の画素によって形成される第１の画像が視認され、第２の方向からは、第２の画素によって形成される第２の画像が視認され得る。つまり、適用例１の電気光学装置では、少なくとも２つの方向に指向性表示を行うことができる。
【００１１】
ここで、複数の発光部は、一対の基板のうちの一方と液晶との間に設けられている。つまり、複数の発光部は、一対の基板間に介在している。このため、複数の発光部が一対の基板の外側に配置される場合に比較して、複数の画素と複数の発光部との間の距離を短縮することができる。従って、適用例１の電気光学装置では、指向性表示を行う各方向における適視範囲を拡大することができる。
【００１２】
［適用例２］上記の電気光学装置であって、前記複数の発光部と前記液晶との間に、各前記発光部からの光の偏光状態を規定する偏光素子が介在することを特徴とする電気光学装置。
【００１３】
適用例２では、複数の発光部と液晶との間に、各発光部からの光の偏光状態を規定する偏光素子が介在しているので、偏光光を利用して画像を形成することができる。
【００１４】
［適用例３］上記の電気光学装置であって、平面視で前記複数の発光部同士間を覆う遮光膜が設けられていることを特徴とする電気光学装置。
【００１５】
適用例３では、平面視で複数の発光部同士間を覆う遮光膜が設けられているので、発光部同士間での光の往来が遮られる。これにより、各発光部からの光が第２の画素を経て第１の方向に漏れたり、第１の画素を経て第２の方向に漏れたりすることを低く抑えることができる。従って、指向性表示における各画像のコントラストの向上が図られる。
【００１６】
［適用例４］上記の電気光学装置であって、前記複数の発光部は、少なくとも隣り合う２つの前記発光部の間で一連した状態で設けられた発光層の前記液晶側に前記遮光膜を設けることによって構成されていることを特徴とする電気光学装置。
【００１７】
適用例４では、複数の発光部が、少なくとも隣り合う２つの発光部の間で一連した状態で設けられた発光層の液晶側に遮光膜を設けることによって構成されている。複数の発光部を個別に設ける場合に比較して、発光層を一連した状態で設けることができるので、電気光学装置の製造の効率化が図られる。
【００１８】
［適用例５］上記の電気光学装置であって、前記一方の基板と前記複数の発光部との間で、少なくとも前記複数の発光部のそれぞれに平面視で重なる領域に反射膜が設けられていることを特徴とする電気光学装置。
【００１９】
適用例５では、一方の基板と複数の発光部との間で、少なくとも複数の発光部のそれぞれに平面視で重なる領域に反射膜が設けられているので、各発光部から一方の基板に向かう光を液晶側に反射させることができる。これにより、液晶側に反射された反射光の少なくとも一部を画像の表示に活用することができ、発光部からの光の利用効率を向上させることができる。
【００２０】
［適用例６］上記の電気光学装置であって、前記一方の基板と前記発光層との間で、前記発光層に平面視で重なる領域にわたって反射膜が設けられていることを特徴とする電気光学装置。
【００２１】
適用例６では、一方の基板と発光層との間で、発光層に平面視で重なる領域にわたって反射膜が設けられているので、発光層の全域から一方の基板に向かう光を液晶側に反射させることができる。これにより、液晶側に反射された反射光の少なくとも一部を画像の表示に活用することができ、発光部からの光の利用効率を向上させることができる。
【００２２】
［適用例７］上記の電気光学装置であって、前記発光層と前記遮光膜との間で、前記発光層と前記遮光膜とが平面視で重なる領域に反射膜が設けられていることを特徴とする電気光学装置。
【００２３】
適用例７では、発光層と遮光膜との間で、発光層と遮光膜とが平面視で重なる領域に反射膜が設けられているので、発光層から遮光膜に向かう光を一方の基板側に反射させることができる。これにより、一方の基板側に反射された反射光の少なくとも一部を画像の表示に活用することができ、発光層からの光の利用効率を一層向上させることができる。
【００２４】
［適用例８］互いに対向する一対の基板と、前記一対の基板間に、前記一対の基板によって保持された状態で介在し、第１の画像を形成する複数の第１の画素及び第２の画像を形成する複数の第２の画素を含む複数の画素の前記画素ごとに駆動される液晶と、前記一対の基板のうちの一方の前記基板と前記液晶との間に設けられ、前記第１の画素を経て第１の方向に向かう光と前記第２の画素を経て第２の方向に向かう光とを発する複数の発光部と、を有し、前記複数の第１の画素及び前記複数の第２の画素は、それぞれ、赤系の色を呈する光を透過可能な赤系画素と、緑系の色を呈する光を透過可能な緑系画素と、青系の色を呈する光を透過可能な青系画素と、を有しており、前記複数の発光部は、赤系の色を呈する前記光を発する赤系発光部と、緑系の色を呈する前記光を発する緑系発光部と、青系の色を呈する前記光を発する青系発光部とを、平面視で並べた構成を有することを特徴とする電気光学装置。
【００２５】
適用例８の電気光学装置は、一対の基板と、一対の基板間に介在する液晶と、複数の発光部と、を有している。液晶は、一対の基板によって保持されており、複数の画素の画素ごとに駆動される。複数の画素には、複数の第１の画素と複数の第２の画素とが含まれる。複数の第１の画素及び複数の第２の画素は、それぞれ、赤系の色を呈する光を透過可能な赤系画素と、緑系の色を呈する光を透過可能な緑系画素と、青系の色を呈する光を透過可能な青系画素と、を有している。また、複数の発光部は、赤系の色を呈する光を発する赤系発光部と、緑系の色を呈する光を発する緑系発光部と、青系の色を呈する光を発する青系発光部とを、平面視で並べた構成を有している。
【００２６】
複数の第１の画素及び複数の第２の画素のそれぞれにおいて、各赤系画素からは、赤系発光部からの光が視認され、各緑系画素からは、緑系発光部からの光が視認され、各青系画素からは、青系発光部からの光が視認され得る。これにより、複数の第１の画素が形成する第１の画像、及び複数の第２の画素が形成する第２の画像のそれぞれを、少なくとも、赤系の色を呈する光、緑系の色を呈する光及び青系の色を呈する光で構成することができる。これにより、第１の方向からは、第１の画素によって形成される第１の画像がカラー画像として視認され、第２の方向からは、第２の画素によって形成される第２の画像がカラー画像として視認され得る。つまり、適用例８の電気光学装置では、少なくとも２つの方向に指向性表示を行うことができるとともに、指向性表示のカラー化が図られる。
【００２７】
ここで、複数の発光部は、一対の基板のうちの一方と液晶との間に設けられている。つまり、複数の発光部は、一対の基板間に介在している。このため、複数の発光部が一対の基板の外側に配置される場合に比較して、複数の画素と複数の発光部との間の距離を短縮することができる。従って、適用例８の電気光学装置では、指向性表示を行う各方向における適視範囲を拡大することができる。
【００２８】
［適用例９］上記の電気光学装置であって、前記一対の基板のうちの他方の前記基板と前記液晶との間で、前記複数の画素に平面視で重なる領域に反射膜が設けられていることを特徴とする電気光学装置。
【００２９】
適用例９では、一対の基板のうちの他方の基板と液晶との間で、複数の画素に平面視で重なる領域に反射膜が設けられているので、複数の発光部から液晶を透過した光が反射膜によって一方の基板側に反射される。液晶を透過した光のうち第１の画素を経て反射膜に到達した光は、反射膜によって一方の基板側に反射され、再び第１の画素を経て第１の方向に向かう。また、第２の画素を経て反射膜に到達した光は、反射膜によって一方の基板側に反射され、再び第２の画素を経て第２の方向に向かう。これにより、第１の方向からは、一方の基板を介して第１の画像が視認され、第２の方向からは、一方の基板を介して第２の画像が視認され得る。つまり、適用例９の電気光学装置では、一方の基板側に、少なくとも２つの方向に指向性表示を行うことができる。
【００３０】
［適用例１０］上記の電気光学装置であって、前記一方の基板と前記複数の発光部との間に、平面視で前記複数の発光部のそれぞれを覆う遮光膜が設けられていることを特徴とする電気光学装置。
【００３１】
適用例１０では、一方の基板と複数の発光部との間に、平面視で複数の発光部のそれぞれを覆う遮光膜が設けられているので、複数の発光部から一方の基板に向かう光が遮られる。これにより、複数の発光部からの光が一方の基板に漏れることを低く抑えることができる。従って、指向性表示における各画像のコントラストの向上が図られる。
【００３２】
［適用例１１］上記の電気光学装置であって、前記複数の発光部が、エレクトロルミネセンス素子で構成されていることを特徴とする電気光学装置。
【００３３】
［適用例１２］上記の電気光学装置であって、前記複数の発光部と前記液晶との間に樹脂層が介在していることを特徴とする電気光学装置。
【００３４】
適用例１２では、複数の発光部と液晶との間に樹脂層が介在している。樹脂層では、例えばガラス基板などに比較して、厚みが容易に調整され得る。従って、適用例１２の電気光学装置では、樹脂層の厚みを調整することで、適視範囲を調整しやすくすることができる。
【００３５】
［適用例１３］互いに対向する一対の基板と、前記一対の基板間に、前記一対の基板によって保持された状態で介在し、複数の画素の前記画素ごとに駆動される液晶と、を有し、前記一対の基板のうちの一方の前記基板と前記液晶との間に、前記複数の画素に入射させる光を発する発光部が設けられていることを特徴とする電気光学装置。
【００３６】
適用例１３の電気光学装置は、一対の基板と、一対の基板間に介在する液晶と、複数の発光部と、を有している。液晶は、一対の基板によって保持されており、複数の画素の画素ごとに駆動される。そして、複数の画素に入射させる光を発する発光部は、一対の基板のうちの一方の基板と液晶との間に設けられている。このため、発光部が一対の基板の外側に配置される場合に比較して、複数の画素と発光部との間の距離を短縮することができる。従って、適用例１３では、電気光学装置の薄型化が図られる。
【００３７】
［適用例１４］上記の電気光学装置を表示部として備えたことを特徴とする電子機器。
【００３８】
適用例１４の電子機器は、表示部としての電気光学装置が、一対の基板と、一対の基板間にこれらの一対の基板によって保持された状態で介在する液晶と、一対の基板のうちの一方と液晶との間に設けられた発光部と、を有している。この電気光学装置では、発光部が一対の基板のうちの一方と液晶との間に設けられているので、発光部が一対の基板の外側に配置される場合に比較して、複数の画素と発光部との間の距離を短縮することができる。これにより、この電気光学装置は、薄型化が図られる。そして、適用例１４の電子機器は、薄型化が図られた電気光学装置を表示部として備えているので、薄型化が図られる。
【発明を実施するための最良の形態】
【００３９】
実施形態について、電気光学装置の１つである表示装置を例に、図面を参照しながら説明する。
【００４０】
第１実施形態における表示装置１には、図１に示すように、複数の画素３が設定されている。複数の画素３は、表示領域５内で、図中のＸ方向及びＹ方向に配列しており、Ｘ方向を行方向とし、Ｙ方向を列方向とするマトリクスＭを構成している。表示装置１は、内蔵する発光部からの光を、複数の画素３から選択的に表示面７を介して表示装置１の外に射出することで、表示面７に画像を表示することができる。なお、表示領域５とは、画像が表示され得る領域である。図１では、構成をわかりやすく示すため、画素３が誇張され、且つ画素３の個数が減じられている。
【００４１】
表示装置１は、図１中のＡ−Ａ線における断面図である図２に示すように、液晶パネル１１と、偏光板１５とを有している。
液晶パネル１１は、発光素子基板２１と、駆動素子基板２３と、液晶２５とを有している。
発光素子基板２１には、表示面７側すなわち液晶２５側に、複数の発光部２７などが設けられている。なお、図２では、構成をわかりやすく示すため、各構成が誇張され、且つ発光部２７の個数が減じられている。
【００４２】
駆動素子基板２３は、発光素子基板２１よりも表示面７側で発光素子基板２１に対向し、且つ発光素子基板２１との間に隙間を有した状態で設けられている。駆動素子基板２３には、表示装置１における表示面７の裏面に相当する面である底面３５側すなわち液晶２５側に、複数の画素３のそれぞれに対応して、後述するスイッチング素子などが設けられている。
【００４３】
液晶２５は、発光素子基板２１及び駆動素子基板２３の間に介在しており、表示装置１の周縁よりも内側で表示領域５を囲むシール材３７によって、発光素子基板２１及び駆動素子基板２３の間に封止されている。つまり、液晶２５は、発光素子基板２１及び駆動素子基板２３に保持された状態で、これらの発光素子基板２１及び駆動素子基板２３間に介在している。なお、表示装置１では、液晶２５として、ＴＮ（Twisted Nematic）型が採用されている。
【００４４】
偏光板１５は、駆動素子基板２３よりも表示面７側に設けられている。偏光板１５は、透過軸の方向に偏光軸を有する光を透過させることができる。
表示装置１に設定されている複数の画素３は、それぞれ、表示面７から射出する光の色が、図３に示すように、赤系（Ｒ）、緑系（Ｇ）及び青系（Ｂ）のうちの１つに設定されている。つまり、マトリクスＭを構成する複数の画素３は、Ｒの光を射出する画素３ｒと、Ｇの光を射出する画素３ｇと、Ｂの光を射出する画素３ｂとを含んでいる。
【００４５】
ここで、Ｒの色は、純粋な赤の色相に限定されず、橙等を含む。Ｇの色は、純粋な緑の色相に限定されず、青緑や黄緑を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００４６】
マトリクスＭでは、Ｙ方向に沿って並ぶ複数の画素３が、１つの画素列４１を構成している。１つの画素列４１内の各画素３は、光の色がＲ、Ｇ及びＢのうちの１つに設定されている。つまり、マトリクスＭは、複数の画素３ｒがＹ方向に配列した画素列４１ｒと、複数の画素３ｇがＹ方向に配列した画素列４１ｇと、複数の画素３ｂがＹ方向に配列した画素列４１ｂとを有している。そして、マトリクスＭでは、画素列４１ｒ、画素列４１ｇ及び画素列４１ｂが、この順でＸ方向に沿って反復して並んでいる。
【００４７】
また、表示装置１では、マトリクスＭを構成する複数の画素３は、図４に示すように、複数の第１の画素３1と、複数の第２の画素３2とにわけられている。表示装置１は、複数の発光部２７からの光を、複数の第１の画素３1から選択的に表示面７を介して表示装置１の外に射出することで、表示面７に第１の画像を表示することができる。また、表示装置１は、複数の発光部２７からの光を、複数の第２の画素３2から選択的に表示面７を介して表示装置１の外に射出することで、表示面７に第２の画像を表示することができる。
【００４８】
なお、第１の画像と第２の画像とは、互いに異なる画像であることと、互いに同じ画像であることとが問われない。また、以下においては、画素３という表記と、画素３ｒ、３ｇ及び３ｂという表記と、第１の画素３1及び第２の画素３2という表記とが、適宜、使いわけられる。また、第１の画素３1及び第２の画素３2のそれぞれに対してＲ、Ｇ及びＢが識別される場合、第１の画素３ｒ1、３ｇ1及び３ｂ1、並びに、第２の画素３ｒ2、３ｇ2及び３ｂ2という表記が用いられる。
【００４９】
表示装置１では、第１の画素３1と第２の画素３2とが、Ｘ方向に交互に並んでいる。１つの画素列４１は、複数の第１の画素３1又は複数の第２の画素３2によって構成されている。つまり、マトリクスＭは、複数の第１の画素３1がＹ方向に沿って配列した画素列４１1と、複数の第２の画素３2がＹ方向に沿って配列した画素列４１2とを有している。なお、以下においては、画素列４１という表記と、画素列４１ｒ、画素列４１ｇ及び画素列４１ｂという表記と、画素列４１1及び画素列４１2という表記とが、適宜、使いわけられる。
【００５０】
また、表示装置１では、マトリクスＭを構成する複数の画素３は、Ｘ方向に隣り合う第１の画素３1及び第２の画素３2の２つの画素３ごとに、これらの２つの画素３を１組とする複数組の画素群４３にわけられている。各画素群４３での第１の画素３1及び第２の画素３2の並び順は、複数組の画素群４３間で統一している。表示装置１では、第１の画素３1と第２の画素３2とが、図４で見て、Ｘ方向に左側から右側に向かってこの順で並んでいる。なお、第１の画素３1及び第２の画素３2の並び順は、複数組の画素群４３間で統一していれば、いずれが左側でも右側でもよい。
マトリクスＭにおいて、複数組の画素群４３は、図５に示すように、Ｘ方向及びＹ方向のそれぞれの方向に沿って並んでいる。つまり、複数組の画素群４３は、マトリクス状に配列している。
【００５１】
ここで、発光素子基板２１及び駆動素子基板２３のそれぞれの構成について、詳細を説明する。
発光素子基板２１は、図４中のＣ−Ｃ線における断面図である図６に示すように、第１基板５１を有している。第１基板５１は、例えばガラスなどの光透過性を有する材料で構成されており、表示面７側に向けられた第１面５３を有している。なお、第１基板５１の第１面５３とは反対側の面は、底面３５に相当している。
【００５２】
第１基板５１の第１面５３には、反射膜５５が設けられている。複数の発光部２７は、反射膜５５の表示面７側に設けられている。各発光部２７は、互いに対向する一対の電極５７ａ及び５７ｂ間に発光層５９を挟んだ構成を有している。電極５７ａ及び５７ｂは、それぞれ、例えばＩＴＯ（Indium Tin Oxide）等の酸化導電膜、ＭｇＡｇ等の金属が光透過性を有するように薄膜化されたものなどの光透過性を有する材料で構成されている。各発光層５９は、有機材料で構成されており、電極５７ａ及び５７ｂ間に電圧が印加されると、白色の光を発する。各発光部２７は、有機ＥＬ（Electro Luminescence）素子を構成している。
【００５３】
なお、白色の光を発する発光層としては、赤系の色を呈する光を発する発光層と、緑系の色を呈する光を発する発光層と、青系の色を呈する光を発する発光層とを積層した構成や、１つの発光層に各色の色素を添加した構成などが採用され得る。さらに色の組み合わせとしては、赤、緑、青の３波長成分を用いる方法の他、青及び橙、又は青緑及び赤の補色関係にある２波長成分を用いる方法などがある。
【００５４】
電極５７ｂの表示面７側には、保護膜６１が設けられている。保護膜６１は、例えばＳｉＯやＳｉＮなどの光透過性を有する材料で構成されている。保護膜６１の表示面７側には、偏光子６３が設けられている。
【００５５】
表示装置１では、偏光子６３としてワイヤーグリッド構造が採用されている。ワイヤーグリッド構造は、底面３５側からの偏光子６３の斜視図である図７に示すように、多数のワイヤー６５を互いに平行に所定間隔Ｈで配列したものである。間隔Ｈは、光の波長よりも短い値に設定されている。偏光子６３に入射される光６７のうち、ワイヤー６５が延びる方向に偏光軸を有する成分６７ａが反射され、ワイヤー６５が延びる方向に直行する偏光軸を有する成分６７ｂが透過する。なお、ワイヤー６５の材料としては、例えば、光反射性が高い金、銀、アルミニウムなどが採用され得る。
【００５６】
偏光子６３の表示面７側には、図６に示すように、保護膜７１が設けられている。保護膜７１は、例えばＳｉＯやＳｉＮなどの光透過性を有する材料で構成されている。
保護膜７１の表示面７側には、樹脂層７３が設けられている。樹脂層７３は、光透過性を有する樹脂で構成されており、シート状の樹脂を貼り付けたり、液状の樹脂をスピンコート法などで膜状に配置してから固化させたりすることで形成され得る。
樹脂層７３の表示面７側には、各画素３を区画する光吸収層７５が領域７６にわたって設けられている。表示装置１では、各画素３は、光吸収層７５によって囲まれた領域であると定義され得る。光吸収層７５は、光吸収性を有する材料で構成され、樹脂層７３の表示面７側に、平面視で格子状に設けられている。
【００５７】
樹脂層７３の表示面７側には、光吸収層７５によって囲まれた各領域、すなわち各画素３の領域を表示面７側から覆うカラーフィルタ７７が設けられている。
ここで、カラーフィルタ７７は、入射された光のうち所定の波長域の光を透過させることができる。カラーフィルタ７７は、画素３ｒ、画素３ｇ及び画素３ｂごとに異なる色に着色された樹脂などで構成されている。画素３ｒに対応するカラーフィルタ７７は、Ｒの光を透過させることができる。画素３ｇに対応するカラーフィルタ７７はＧの光を透過させ、画素３ｂに対応するカラーフィルタ７７はＢの光を透過させることができる。
【００５８】
光吸収層７５及びカラーフィルタ７７の表示面７側には、オーバーコート層７９が設けられている。オーバーコート層７９は、光透過性を有する樹脂などで構成されており、光吸収層７５及びカラーフィルタ７７を表示面７側から覆っている。
オーバーコート層７９の表示面７側には、対向電極８１が設けられている。対向電極８１は、例えばＩＴＯなどの光透過性を有する材料で構成されている。なお、対向電極８１は、図示しない共通線につながっている。
対向電極８１の表示面７側には、配向膜８３が設けられている。配向膜８３は、例えばポリイミドなどの光透過性を有する材料で構成されており、対向電極８１を表示面７側から覆っている。なお、配向膜８３には、配向処理が施されている。
【００５９】
駆動素子基板２３は、第２基板８５を有している。第２基板８５は、例えばガラスなどの光透過性を有する材料で構成されており、表示面７側に向けられた外向面８６ａと、底面３５側に向けられた素子面８６ｂとを有している。
第２基板８５の素子面８６ｂには、ゲート絶縁層８７が設けられている。ゲート絶縁層８７の底面３５側には、絶縁層８９が設けられている。絶縁層８９の底面３５側には、配向膜９１が設けられている。
【００６０】
また、駆動素子基板２３には、各画素３に対応して、スイッチング素子の１つであるＴＦＴ（Thin Film Transistor）素子９３と、画素電極９５とが、第２基板８５の素子面８６ｂ側に設けられている。
ＴＦＴ素子９３は、ゲート電極１０１と、半導体層１０３と、ソース電極１０５と、ドレイン電極１０７とを有している。
【００６１】
ゲート電極１０１は、第２基板８５の素子面８６ｂに設けられており、ゲート絶縁層８７によって底面３５側から覆われている。なお、ゲート絶縁層８７の材料としては、例えば、ＳｉＯやＳｉＮなどの光透過性を有する材料が採用され得る。
半導体層１０３は、例えばアモルファスシリコンで構成されており、ゲート絶縁層８７を挟んでゲート電極１０１に対向する位置に設けられている。半導体層１０３には、図示しないソース領域と、ドレイン領域とが設けられている。
【００６２】
ソース電極１０５は、ゲート絶縁層８７の底面３５側に設けられており、一部が半導体層１０３のソース領域に重なっている。
ドレイン電極１０７は、ゲート絶縁層８７の底面３５側に設けられており、一部が半導体層１０３のドレイン領域に重なっている。
【００６３】
表示装置１では、上記の構成を有するＴＦＴ素子９３は、図６で見て左側の領域７６内に設けられており、ドレイン電極１０７が領域７６内から画素３の領域内に延長されている。Ｘ方向に隣り合う画素３間において、ゲート電極１０１同士は、図示しないゲート線によって接続されている。また、Ｙ方向に隣り合う画素３間において、ソース電極１０５同士は、図示しないデータ線によって接続されている。
【００６４】
ＴＦＴ素子９３は、絶縁層８９によって底面３５側から覆われている。なお、絶縁層８９の材料としては、例えば、ＳｉＯ、ＳｉＮ、アクリル系の樹脂などの光透過性を有する材料が採用され得る。
画素電極９５は、例えばＩＴＯ（Indium Tin Oxide）などの光透過性を有する材料で構成され、絶縁層８９の底面３５側に設けられている。画素電極９５は、絶縁層８９に設けられたコンタクトホール１０９を介してドレイン電極１０７につながっている。
配向膜９１は、例えばポリイミドなどの光透過性を有する材料で構成されており、絶縁層８９及び画素電極９５を底面３５側から覆っている。なお、配向膜９１には、配向処理が施されている。
【００６５】
発光素子基板２１及び駆動素子基板２３の間に介在する液晶２５は、配向膜８３と配向膜９１との間に介在している。表示装置１では、図２に示すシール材３７は、図６に示す第１基板５１の第１面５３と、第２基板８５の素子面８６ｂとによって挟持されている。つまり、表示装置１では、液晶２５は、第１基板５１及び第２基板８５によって保持されている。なお、シール材３７は、配向膜８３及び配向膜９１の間に設けられていてもよい。この場合、液晶２５は、発光素子基板２１及び駆動素子基板２３に保持されているとみなされ得る。
【００６６】
発光部２７を構成する一対の電極５７ａ及び５７ｂは、それぞれ、図６中のＤ−Ｄ線における断面図である図８に示すように、複数の画素３間にわたって一連した状態で設けられている。つまり、電極５７ａ及び５７ｂは、それぞれ、複数の発光部２７間にわたって設けられており、これら複数の発光部２７によって共有されている。電極５７ａ及び５７ｂ間に電圧が印加されると、複数の発光部２７から光が射出される。
対向電極８１は、複数の画素３間にわたって一連した状態で設けられており、複数の画素３間にわたって共通して機能する。各画素電極９５は、平面視で周縁部が領域７６に重なっている。
【００６７】
各発光部２７は、Ｘ方向において、各画素群４３に対応して設けられており、画素群４３を構成する第１の画素３1及び第２の画素３2の間に設けられている。なお、Ｘ方向に隣り合う発光部２７同士間には、遮光性を有する材料で構成された遮光膜１１１が設けられている。
また、各発光部２７は、発光部２７と画素群４３との平面図である図９に示すように、Ｙ方向に沿って延びている。つまり、１つの発光部２７は、Ｙ方向に配列する複数組の画素群４３に対応している。なお、図９では、構成をわかりやすく示すため、各発光部２７にハッチングが施されている。
【００６８】
上記の構成を有する表示装置１では、各発光部２７を発光させた状態で液晶２５の配向状態を変化させることにより、表示が制御される。液晶２５の配向状態は、ＴＦＴ素子９３のＯＦＦ状態及びＯＮ状態を切り替えることによって変化される。
ここで、偏光板１５の透過軸の方向と、偏光子６３の各ワイヤー６５が延びる方向と、配向膜８３及び配向膜９１のそれぞれの配向方向との関係について説明する。
【００６９】
図１０（ａ）は、ＴＦＴ素子９３がＯＦＦ状態のときの偏光状態を示す図であり、図１０（ｂ）は、ＴＦＴ素子９３がＯＮ状態のときの偏光状態を示す図である。
表示装置１では、偏光子６３の各ワイヤー６５が延びる方向１１５は、図１０（ａ）及び図１０（ｂ）に示すように、偏光板１５の透過軸の方向１１７に沿っている。配向膜８３の配向方向１１９は、透過軸の方向１１７に直行している。配向膜９１の配向方向１２１は、透過軸の方向１１７に沿っている。
なお、図１０（ａ）及び図１０（ｂ）において、Ｘ’方向及びＹ’方向は、Ｘ’方向が偏光板１５の透過軸の方向１１７に沿った方向を示し、Ｙ’方向がＸＹ平面内でＸ’方向に直行する方向を示している。Ｘ’方向及びＹ’方向は、ＸＹ平面内で互いに直交する任意の２方向である。
【００７０】
各発光部２７から偏光子６３に入射された入射光は、ワイヤー６５が延びる方向１１５に直行する方向すなわちＹ’方向に沿った偏光軸を有する直線偏光１２３として液晶２５に入射される。
液晶２５に入射された直線偏光１２３は、ＴＦＴ素子９３がＯＦＦ状態のときに、図１０（ａ）に示すように、液晶２５の旋光性によってＸ’方向に沿った偏光軸を有する直線偏光１２５として偏光板１５に向けて射出される。偏光板１５に向けて射出された直線偏光１２５は、偏光軸の方向が偏光板１５の透過軸の方向１１７に沿っているため、偏光板１５を透過する。
【００７１】
他方で、ＴＦＴ素子９３がＯＮ状態のときに、直線偏光１２３は、図１０（ｂ）に示すように、偏光状態が維持されたまま直線偏光１２３として偏光板１５に向けて射出される。偏光板１５に向けて射出された直線偏光１２３は、偏光軸の方向が偏光板１５の透過軸の方向１１７に対して直交しているため、偏光板１５によって吸収される。
表示装置１では、ＴＦＴ素子９３がＯＦＦ状態のときに表示面７から光が射出され、ＴＦＴ素子９３がＯＮ状態のときに表示面７からの光の射出が遮断される所謂ノーマリホワイトの表示モードが採用されている。
【００７２】
ここで、表示装置１では、前述したように、Ｘ方向において各画素群４３に対応する発光部２７が設けられている。各発光部２７からの光は、複数組の画素群４３及び発光部２７を模式的に示す断面図である図１１に示すように、発光部２７に対応する画素群４３を構成する第１の画素３1及び第２の画素３2のそれぞれを介して表示面７から射出される。このとき、第１の画素３1及び第２の画素３2のそれぞれから射出された光１２７ａ及び１２７ｂは、光１２７ａが第１の範囲１３１に及び、光１２７ｂが第２の範囲１３３に及ぶ。なお、図１１に示す断面は、図９中のＥ−Ｅ線における断面に相当している。
【００７３】
第１の範囲１３１からは、第１の画素３1を介して発光部２７からの光１２７ａが視認され得る。第２の範囲１３３からは、第２の画素３2を介して発光部２７からの光１２７ｂが視認され得る。第１の範囲１３１内に視点があれば、複数の第１の画素３1からの光１２７ａによって形成される第１の画像が視認され得る。第２の範囲１３３内に視点があれば、複数の第２の画素３2からの光１２７ｂによって形成される第２の画像が視認され得る。つまり、表示装置１では、第１の画像を第１の範囲１３１に表示し、第２の画像を、第１の範囲１３１とは異なる第２の範囲１３３に表示する所謂指向性表示を行うことができる。
【００７４】
表示装置１では、図１１に示す第１の範囲１３１及び第２の範囲１３３に、互いに重複する範囲１３５がある。この範囲１３５からは、第１の画像と第２の画像とが重畳した状態で視認される。第１の範囲１３１から範囲１３５を除いた範囲１３７ａ（以下、適視範囲１３７ａと呼ぶ）からは、第１の画像だけが視認され得る。また、第２の範囲１３３から範囲１３５を除いた範囲１３７ｂ（以下、適視範囲１３７ｂと呼ぶ）からは、第２の画像だけが視認され得る。
【００７５】
表示装置１は、複数の第１の画素３1から射出された光１２７ａが第１の範囲１３１の両端のそれぞれにおいて交差し、複数の第２の画素３2から射出された光１２７ｂが第２の範囲１３３の両端のそれぞれにおいて交差するように構成されている。これは、Ｘ方向に隣り合う発光部２７同士間の間隔Ｐａを、Ｘ方向に隣り合う画素群４３同士間の間隔Ｐｂよりも長く設定することによって実現され得る。
これにより、適視範囲１３７ａ内にある任意の視点から視認される光の量を、複数の第１の画素３1間で同等にすることができる。同様に、適視範囲１３７ｂ内にある任意の視点から視認される光の量を、複数の第２の画素３2間で同等にすることができる。
【００７６】
表示装置１において、偏光子６３が偏光素子に対応している。
表示装置１では、有機ＥＬ素子で構成される複数の発光部２７が、液晶２５を保持する第１基板５１と第２基板８５との間に設けられている。このため、照明装置と表示パネルとを個別に備え、照明装置からの光を表示パネルに照射して表示を行う表示装置に比較して、複数の画素３と発光部２７との間の距離を短縮することができる。従って、表示装置１の薄型化が図られる。
【００７７】
また、表示装置１では、Ｘ方向において各画素群４３に対応する発光部２７が、液晶２５を保持する第１基板５１と第２基板８５との間に設けられている。このため、照明装置と表示パネルとを個別に備え、照明装置からの光を表示パネルに照射して表示を行う表示装置に比較して、各画素群４３と発光部２７との間の距離を短縮することができる。従って、適視範囲１３７ａや適視範囲１３７ｂを拡大することができる。
【００７８】
また、表示装置１では、複数の発光部２７と液晶２５との間に偏光子６３が設けられているので、偏光光を利用して表示を行うことができる。
また、表示装置１では、Ｘ方向に隣り合う発光部２７同士間に遮光膜１１１が設けられている。このため、各発光部２７からの光が第１の画素３1を経て第２の範囲１３３に漏れたり、第２の画素３2を経て第１の範囲１３１に漏れたりすることを低く抑えることができる。従って、指向性表示における第１の画像及び第２の画像のそれぞれのコントラストを向上させることができる。
【００７９】
また、表示装置１では、第１基板５１と複数の発光部２７との間に反射膜５５が設けられている。このため、各発光部２７から底面３５側に向かう光を表示面７側に反射させることができる。これにより、表示面７側に反射された反射光を画像の表示に活用することができ、各発光部２７からの光の利用効率を向上させることができる。
【００８０】
また、表示装置１では、複数の発光部２７と液晶２５との間に樹脂層７３が設けられている。樹脂層７３では、ガラスなどに比較して厚みを容易に調整することができる。従って、表示装置１では、樹脂層７３の厚みを調整することで、適視範囲１３７ａや適視範囲１３７ｂを調整しやすくすることができる。
【００８１】
なお、表示装置１では、カラーフィルタ７７が第１基板５１と第２基板８５との間に設けられているが、カラーフィルタ７７の位置はこれに限定されない。
ここで、表示装置１において、各発光部２７のＸ方向における中点から、複数の第１の画素３1のそれぞれにおける中点を経て第１の範囲１３１に至る光１２７ａは、図１２に示すように、適視範囲１３７ａ内の視点Ｌａで交差する。同様に、各発光部２７のＸ方向における中点から、複数の第２の画素３2のそれぞれにおける中点を経て第２の範囲１３３に至る光１２７ｂは、適視範囲１３７ｂ内の視点Ｌｂで交差する。
【００８２】
これらの光１２７ａ及び１２７ｂ間で同じ色に着目すると、画素３ｒ1から視点Ｌａに至る光１２７ａと、画素３ｒ2から視点Ｌｂに至る光１２７ｂとは、交点Ｋｒで交差する。同様に、画素３ｇ1から視点Ｌａに至る光１２７ａと、画素３ｇ2から視点Ｌｂに至る光１２７ｂとが交点Ｋｇで交差し、画素３ｂ1から視点Ｌａに至る光１２７ａと、画素３ｂ2から視点Ｌｂに至る光１２７ｂとが交点Ｋｂで交差する。各交点Ｋｒ、Ｋｇ及びＫｂに、それぞれの光の色に対応するカラーフィルタ７７を配置すれば、第１の画素３1と第２の画素３2とにカラーフィルタ７７を共用させることができる。
【００８３】
そこで、第１の画素３1と第２の画素３2とにカラーフィルタ７７を共用させる例を、第２実施形態として説明する。
第２実施形態における表示装置１０は、表示装置１０を図１中のＡ−Ａ線の位置に相当する位置で切断したときの断面図である図１３に示すように、液晶パネル１１と偏光板１５との間にカラーフィルタ基板１４１が設けられている。なお、表示装置１０は、表示装置１の光吸収層７５、カラーフィルタ７７及びオーバーコート層７９がカラーフィルタ基板１４１に設けられていることを除いては、表示装置１と同様の構成を有している。従って、以下において、表示装置１０の各構成のうちで表示装置１と同様の構成については、同一の符号を付して詳細な説明を省略する。
【００８４】
カラーフィルタ基板１４１は、図４中のＣ−Ｃ線における断面図である図１４に示すように、第３基板１４３を有している。第３基板１４３は、例えばガラスなどの光透過性を有する材料で構成されており、表示面７側に向けられた外向面１４４ａと、底面３５側に向けられた対向面１４４ｂとを有している。
第３基板１４３の対向面１４４ｂには、光吸収層７５が、平面視で格子状に設けられている。また、対向面１４４ｂには、光吸収層７５によって囲まれた各領域を底面３５側から覆うカラーフィルタ７７が設けられている。
【００８５】
上記の構成を有するカラーフィルタ基板１４１は、対向面１４４ｂが第２基板８５の外向面８６ａに向けられた状態で、オーバーコート層７９が外向面８６ａに、光透過性を有する接着剤１４５を介して貼り付けられている。
なお、発光素子基板２１の樹脂層７３の表示面７側には、対向電極８１が設けられている。
また、表示装置１０では、各カラーフィルタ７７が各交点Ｋｒ、Ｋｇ及びＫｂ（図１２参照）に位置するように、樹脂層７３や第２基板８５の厚みが設定されている。
【００８６】
表示装置１０では、光吸収層７５によって囲まれた各領域は、画素３の領域とは定義されない。表示装置１０において画素３の領域は、平面視で対向電極８１と各画素電極９５とが重なる各領域であると定義される。それは、光吸収層７５によって囲まれた各領域は、図１４中のＪ−Ｊ線における断面図である図１５に示すように、Ｘ方向に隣り合う２つの画素電極９５間にまたがっているためである。
【００８７】
表示装置１０では、表示装置１と同様の効果を奏するのみならず、第１の画素３1と第２の画素３2とにカラーフィルタ７７を共用させることができるので、カラーフィルタ７７の個数を軽減することができるとともに、１つのカラーフィルタ７７の大きさを拡大することができる。
【００８８】
なお、表示装置１や表示装置１０では、複数の発光部２７のそれぞれに対応して、発光部２７ごとに独立した複数の発光層５９が設けられた場合を例に説明したが、複数の発光部２７の構成はこれに限定されない。例えば、複数の発光部２７の構成は、発光部２７の他の例を示す断面図である図１６（ａ）に示すように、複数の発光部２７間で一連した状態で設けられた発光層１４７よりも表示面７側に遮光膜１１１を設けた構成が採用され得る。この場合、一連した発光層１４７を一連した一対の電極５７ａ及び５７ｂ間に挟んだ構成を有する発光素子１４９のうち、遮光膜１１１同士間の部位が各発光部２７として機能する。
【００８９】
図１６（ａ）に示す構成の場合、図１６（ａ）中のＮ部の拡大図である図１６（ｂ）に示すように、電極５７ｂと各遮光膜１１１との間に反射膜１５１を設けることが、光の利用効率を高めることができる点で好ましい。発光層１４７から遮光膜１１１に向かう光１５３は、反射膜１５１によって底面３５側に反射される。反射膜１５１によって底面３５側に反射された光１５３は、反射膜５５によって表示面７側に反射される。反射膜５５によって表示面７側に反射された光１５３の一部は、遮光膜１１１同士間を経て液晶２５に入射され、表示に活用され得る。このため、光の利用効率が高められる。
【００９０】
また、表示装置１や表示装置１０では、複数の発光部２７のそれぞれが白色の光を発する場合を例に説明したが、各発光部２７が発する光は白色に限定されない。例えば、複数の発光部２７は、発光部２７の他の例を示す断面図である図１７に示すように、Ｒの光を発する発光部２７ｒと、Ｇの光を発する発光部２７ｇと、Ｂの光を発する発光部２７ｂとを有する構成が採用され得る。この場合、発光部２７ｒは、視点Ｌａ及び画素３ｒ1間を結ぶ線を底面３５側に延長した線Ｒ1と、視点Ｌｂ及び画素３ｒ2間を結ぶ線を底面３５側に延長した線Ｒ2との交点に位置する。発光部２７ｇは、視点Ｌａ及び画素３ｇ1間を結ぶ線を底面３５側に延長した線Ｇ1と、視点Ｌｂ及び画素３ｇ2間を結ぶ線を底面３５側に延長した線Ｇ2との交点に位置する。発光部２７ｂは、視点Ｌａ及び画素３ｂ1間を結ぶ線を底面３５側に延長した線Ｂ1と、視点Ｌｂ及び画素３ｂ2間を結ぶ線を底面３５側に延長した線Ｂ2との交点に位置する。
【００９１】
図１７に示す構成を有する表示装置１００の場合、発光部２７ｒからのＲの光は、Ｒのカラーフィルタ７７を透過するときに彩度が高められる。他方で、発光部２７ｒからのＲの光は、ＧやＢのカラーフィルタ７７によって吸収される。同様に、Ｇの光はＧのカラーフィルタ７７によって彩度が高められ、Ｂの光はＢのカラーフィルタ７７によって彩度が高められる。そして、Ｇの光はＲやＢのカラーフィルタ７７によって吸収され、Ｂの光はＲやＧのカラーフィルタ７７によって吸収される。従って、表示装置１や表示装置１０において図１７に示す構成が採用された表示装置１００の場合、カラー表示を行うことができるとともに、カラー表示における彩度の向上が図られる。
【００９２】
また、表示装置１や表示装置１０において、複数の第１の画素３1が第１の画像だけを形成し、複数の第２の画素３2が第２の画像だけを形成する場合に限られない。表示装置１や表示装置１０は、複数の第１の画素３1が第１の画像と第２の画像とを交互に形成し、複数の第２の画素３2が第２の画像と第１の画像とを交互に形成するように制御され得る。この場合、例えば、１フレーム期間を前半と後半とにわけて、１フレーム期間の前半と後半とで第１の画像と第２の画像とを入れ替えることが考えられる。つまり、１フレーム期間の前半では、複数の第１の画素３1によって第１の画像が形成されるとともに、複数の第２の画素３2によって第２の画像が形成される。そして、１フレーム期間の後半では、複数の第１の画素３1によって第２の画像が形成されるとともに、複数の第２の画素３2によって第１の画像が形成される。
【００９３】
しかしながら、この場合、表示装置１や表示装置１０の構成では、図１１に示す第１の範囲１３１及び第２の範囲１３３のそれぞれに、第１の画像と第２の画像とが交互に表示されることになってしまう。そこで、Ｘ方向に並ぶ複数の発光部２７同士間すなわちＸ方向に隣り合う画素群４３同士間に、図１８に示すように、発光部１５５を追加した構成が採用され得る。図１８に示す構成では、発光部２７同士間に発光部１５５が追加されているので、各発光部２７及び発光部１５５は、Ｘ方向に隣り合う２つの画素３間に設けられていると表現され得る。これらの発光部２７と発光部１５５とは、駆動が個別に制御される。つまり、発光部１５５は、発光部２７から独立して発光が制御されるように構成される。これは、発光部２７の電極５７ａ及び５７ｂと、発光部１５５の電極５７ａと５７ｂとを互いに独立した状態で設けることによって実現され得る。
【００９４】
そして、発光部２７と発光部１５５とは、複数組の画素群４３並びに発光部２７及び発光部１５５を模式的に示す断面図である図１９に示すように、１フレーム期間の前半では、発光部２７がＯＮ状態となり、発光部１５５がＯＦＦ状態となるように制御される。また、１フレーム期間の後半では、図２０に示すように、発光部２７がＯＦＦ状態となり、発光部１５５がＯＮ状態となるように、発光部２７と発光部１５５とが制御される。なお、図１９及び図２０では、構成をわかりやすく示すため、発光部２７及び発光部１５５のうちでＯＦＦ状態にある方が塗りつぶされている。
【００９５】
表示装置１や表示装置１０に複数の発光部１５５を追加した構成を有する表示装置２００では、第１の範囲１３１に第１の画像が１フレーム期間内に、複数の第１の画素３1と複数の第２の画素３2とによって交互に形成される。同様に、第２の範囲１３３には、第２の画像が１フレーム期間内に、複数の第２の画素３2と複数の第１の画素３1とによって交互に形成される。つまり、１フレーム期間内に第１の範囲１３１及び第２の範囲１３３のそれぞれからは、マトリクスＭを構成する複数の画素３によって形成される画像が視認され得る。従って、表示装置２００では、形成される画像の解像度が向上され、高精細な表示が実現され得る。
【００９６】
また、表示装置１、１０、１００及び２００のそれぞれに対して、複数の画素３の表示面７側に、図２１に示す遮光膜１６１を付加すれば、第１の画像と第２の画像とが重畳する範囲１３５（図１１参照）が解消され得る。
遮光膜１６１には、複数の開口部１６３が形成されている。各開口部１６３は、各発光部２７から各視点Ｌａ及びＬｂに至る光１２７ａ及び１２７ｂのうちで、Ｘ方向に隣り合う２つの画素群４３間にまたがって隣り合う第１の画素３1を通る光１２７ａと第２の画素３2とを通る光１２７ｂとの交点Ｑに位置している。
【００９７】
そして、開口部１６３の大きさを適切に設定することにより、第１の範囲１３１からは各開口部１６３を介して複数の第１の画素３1からの光１２７ａだけが視認され、第２の範囲１３３からは各開口部１６３を介して複数の第２の画素３2からの光１２７ｂだけが視認され得る。この表示装置３００によれば、第１の画像と第２の画像とが重畳する範囲１３５が解消され得る。
【００９８】
上述した第１実施形態及び第２実施形態では、複数の発光部２７からの光が液晶２５を１回だけ透過することによって表示が行われる所謂透過表示を例に説明したが、表示方式はこれに限定されない。以下に、複数の発光部２７から液晶２５を透過した光を液晶２５側に反射させることによって表示が行われる反射表示の例を、第３実施形態として説明する。
【００９９】
第３実施形態における表示装置４００は、表示装置４００を図１中のＡ−Ａ線の位置に相当する位置で切断したときの断面図である図２２に示すように、図２に示す表示装置１から偏光板１５が省略されている。さらに、表示装置４００は、発光素子基板２１側に表示面７が設定され、駆動素子基板２３側に底面３５が設定されている点が、図２に示す表示装置１とは異なる。表示装置４００は、偏光板１５が省略されている点、並びに表示面７及び底面３５の設定が異なる点を除いては、表示装置１と同様の構成を有している。従って、以下においては、表示装置４００の各構成のうちで表示装置１と同様の構成については、同一の符号を付して詳細な説明を省略する。
【０１００】
表示装置４００において、発光素子基板２１は、図４中のＣ−Ｃ線における断面図である図２３に示すように、第１基板５１の第１面５３が底面３５側すなわち液晶２５側に向けられている。第１基板５１と反射膜５５との間には、光吸収性を有する材料で構成された光吸収膜１７１が設けられている。
駆動素子基板２３は、素子面８６ｂが表示面７側すなわち液晶２５側に向けられている。絶縁層８９と画素電極９５との間には、偏光子１７３と絶縁層１７５とが設けられている。偏光子１７３は、絶縁層８９の表示面７側に設けられている。絶縁層１７５は、例えばＳｉＯやＳｉＮなどの光透過性を有する材料で構成されており、偏光子１７３の表示面７側に設けられている。偏光子１７３は、ワイヤーグリッド構造が採用されており、偏光子６３と同様の構成を有している。なお、第２基板８５の外向面８６ａは、底面３５側に向けられており、表示装置４００では底面３５に相当している。
【０１０１】
発光部２７を構成する一対の電極５７ａ及び５７ｂは、図２３中のＳ−Ｓ線における断面図である図２４に示すように、発光部２７ごとに設けられている。反射膜５５及び光吸収膜１７１のそれぞれも、発光部２７ごとに設けられている。
光吸収膜１７１は、表示面７側から第１基板５１に入射される外光を吸収する機能を有する。この機能により、外光が反射膜５５で反射されて表示面７側から射出されるのを妨げることができ、表示におけるコントラストの向上が図られる。
Ｘ方向に隣り合う発光部２７同士間には、例えばアクリル樹脂などの光透過性を有する材料で構成される光透過層１７７が設けられている。
【０１０２】
表示装置４００では、各発光部２７から液晶２５に入射された光が偏光子１７３で反射され、その反射光が光透過層１７７を介して表示面７から射出されることによって表示が行われる。
図２５（ａ）は、ＴＦＴ素子９３がＯＦＦ状態のときの偏光状態を示す図であり、図２５（ｂ）は、ＴＦＴ素子９３がＯＮ状態のときの偏光状態を示す図である。
表示装置４００では、偏光子１７３の各ワイヤー６５が延びる方向１１５は、図２５（ａ）及び図２５（ｂ）に示すように、Ｘ’方向に沿っている。つまり、偏光子１７３の各ワイヤー６５が延びる方向１１５は、偏光子６３の各ワイヤー６５が延びる方向１１５に沿っている。
【０１０３】
各発光部２７から偏光子６３に入射された入射光は、Ｙ’方向に沿った偏光軸を有する直線偏光１２３として液晶２５に入射される。
液晶２５に入射された直線偏光１２３は、ＴＦＴ素子９３がＯＦＦ状態のときに、図２５（ａ）に示すように、液晶２５の旋光性によってＸ’方向に沿った偏光軸を有する直線偏光１２５として偏光子１７３に向けて射出される。偏光子１７３に向けて射出された直線偏光１２５は、偏光軸の方向が偏光子１７３のワイヤー６５が延びる方向１１５に沿っているため、偏光子１７３によって液晶２５側に反射される。
【０１０４】
液晶２５側に反射された直線偏光１２５は、液晶２５の旋光性によってＹ’方向に沿った偏光軸を有する直線偏光１７９として偏光子６３に向けて射出される。偏光子６３に向けて射出された直線偏光１７９は、偏光軸の方向が偏光子６３のワイヤー６５が延びる方向１１５に直交しているため、偏光子６３を透過して表示面７から射出される。
【０１０５】
他方で、ＴＦＴ素子９３がＯＮ状態のときに、直線偏光１２３は、図２５（ｂ）に示すように、偏光状態が維持されたまま直線偏光１２３として偏光子１７３に向けて射出される。偏光子１７３に向けて射出された直線偏光１２３は、偏光軸の方向が偏光子１７３のワイヤー６５が延びる方向１１５に対して直交しているため、偏光子１７３を透過する。つまり、ＴＦＴ素子９３がＯＮ状態のときには、発光部２７から液晶２５に入射された光は、表示面７から射出されない。
【０１０６】
表示装置４００では、上述したように、ノーマリホワイトの表示モードが採用されているが、表示モードはこれに限定されない。偏光子６３の各ワイヤー６５が延びる方向１１５と、偏光子１７３の各ワイヤー６５が延びる方向１１５とを直交させれば、ノーマリブラックの表示モードとすることができる。
【０１０７】
ここで、表示装置４００には、前述したように、Ｘ方向に隣り合う発光部２７同士間に光透過層１７７が設けられている。偏光子１７３によって液晶２５側に反射された光は、複数組の画素群４３及び発光部２７を模式的に示す断面図である図２６に示すように、光透過層１７７を透過して表示面７から射出される。なお、この図２６では、構成をわかりやすく示すため、光透過層１７７のハッチングが省略されている。
【０１０８】
第１の範囲１３１からは、光透過層１７７を介して第１の画素３1が視認され得る。第２の範囲１３３からは、光透過層１７７を介して第２の画素３2が視認され得る。第１の範囲１３１内に視点があれば、複数の第１の画素３1からの光１２７ａによって形成される第１の画像が視認され得る。第２の範囲１３３内に視点があれば、複数の第２の画素３2からの光１２７ｂによって形成される第２の画像が視認され得る。つまり、表示装置４００では、反射表示で、第１の画像を第１の範囲１３１に表示し、第２の画像を第２の範囲１３３に表示することができる。なお、図２６に示す断面は、図９中のＥ−Ｅ線における断面に相当している。
【０１０９】
この表示装置４００では、Ｘ方向に隣り合う発光部２７同士間の間隔Ｐａが、Ｘ方向に隣り合う画素群４３同士間の間隔Ｐｂよりも短く設定されている。これにより、表示装置４００は、複数の第１の画素３1から射出された光１２７ａが第１の範囲１３１の両端のそれぞれにおいて交差し、複数の第２の画素３2から射出された光１２７ｂが第２の範囲１３３の両端のそれぞれにおいて交差するように構成され得る。
【０１１０】
なお、表示装置１、１０、１００、２００及び３００では、各発光部２７が、図９に示すように、Ｙ方向に沿って配列する複数組の画素群４３間にわたって一連して延びる場合を例に説明したが、各発光部２７はこれに限定されない。各発光部２７は、図２７に示すように、画素群４３ごとに独立した構成も採用され得る。
【０１１１】
また、表示装置１、１０、１００、２００、３００及び４００では、ＴＮ型の液晶２５を例に説明したが、液晶２５はこれに限定されず、ＦＦＳ（Fringe Field Switching）型、ＩＰＳ（In Plane Switching）型、ＶＡ（Vertical Alignment）型等の種々の型が採用され得る。
【０１１２】
また、表示装置１、１０、１００、２００、３００及び４００では、複数組の画素群４３が、図５に示すように、Ｘ方向及びＹ方向のそれぞれの方向に沿ってマトリクス状に配列した場合を例に説明したが、複数組の画素群４３の配列はこれに限定されない。複数組の画素群４３の配列は、例えば、図２８に示すように、Ｙ方向にシグザグに並んだ配列も採用され得る。図２８に示す配列の場合、図４に示す第１の画素３1と第２の画素３2とは、Ｘ方向に交互に並んでいるとともに、Ｙ方向にも交互に並んでいる。この場合、各発光部２７は、図２９に示すように、画素群４３ごとに設けられる。
【０１１３】
上述した表示装置１、１０、１００、２００、３００及び４００は、それぞれ、例えば、図３０に示す電子機器５００の表示部５１０に適用され得る。この電子機器５００は、カーナビゲーションシステム用の表示機器である。電子機器５００では、表示装置１、１０、１００、２００、３００又は４００が適用された表示部５１０によって、例えば、運転席側から第１の画像として地図などの画像が視認され、助手席側から第２の画像として映画などの画像が視認され得る。さらに、電子機器５００では、第１の画像と第２の画像とが重畳する範囲１３５の軽減が図られ、広い適視範囲１３７ａから第１の画像が視認され、広い適視範囲１３７ｂから第２の画像が視認され得る。
なお、電子機器５００としては、カーナビゲーションシステム用の表示機器に限られず、携帯電話機、モバイルコンピュータ、デジタルスチルカメラ、デジタルビデオカメラ、車載機器、オーディオ機器等の種々の電子機器が挙げられる。
【図面の簡単な説明】
【０１１４】
【図１】本発明の第１実施形態における表示装置の主要構成を示す分解斜視図。
【図２】図１中のＡ−Ａ線における断面図。
【図３】第１実施形態における複数の画素の一部を示す平面図。
【図４】第１実施形態における複数の画素の一部を示す平面図。
【図５】第１実施形態における複数組の画素群の配列を説明する平面図。
【図６】図４中のＣ−Ｃ線における断面図。
【図７】第１実施形態における偏光子を示す斜視図。
【図８】図６中のＤ−Ｄ線における断面図。
【図９】第１実施形態における発光部と画素群とを示す平面図。
【図１０】第１実施形態における表示装置の偏光状態を説明する図。
【図１１】第１実施形態における複数組の画素群及び発光部を模式的に示す断面図。
【図１２】第１実施形態における複数組の画素群及び発光部を模式的に示す断面図。
【図１３】第２実施形態における表示装置を図１中のＡ−Ａ線の位置に相当する位置で切断したときの断面図。
【図１４】図４中のＣ−Ｃ線における断面図。
【図１５】図１４中のＪ−Ｊ線における断面図。
【図１６】第１実施形態及び第２実施形態のそれぞれにおける発光部の他の例を示す断面図。
【図１７】第１実施形態及び第２実施形態のそれぞれにおける発光部のさらに他の例を示す断面図。
【図１８】第１実施形態及び第２実施形態のそれぞれにおける表示装置の他の構成例における発光部と画素群とを示す平面図。
【図１９】第１実施形態及び第２実施形態のそれぞれにおける表示装置の他の構成例における複数組の画素群及び発光部を模式的に示す断面図。
【図２０】第１実施形態及び第２実施形態のそれぞれにおける表示装置の他の構成例における複数組の画素群及び発光部を模式的に示す断面図。
【図２１】第１実施形態及び第２実施形態のそれぞれにおける表示装置のさらに他の構成例を模式的に示す断面図。
【図２２】第３実施形態における表示装置を図１中のＡ−Ａ線の位置に相当する位置で切断したときの断面図。
【図２３】図４中のＣ−Ｃ線における断面図。
【図２４】図２３中のＳ−Ｓ線における断面図。
【図２５】第３実施形態における表示装置の偏光状態を説明する図。
【図２６】第３実施形態における複数組の画素群及び発光部を模式的に示す断面図。
【図２７】第１〜第３実施形態のそれぞれにおける発光部の他の例を示す平面図。
【図２８】第１〜第３実施形態のそれぞれにおける複数組の画素群の配列の他の例をを示す平面図。
【図２９】第１〜第３実施形態のそれぞれにおける発光部の他の例を示す平面図。
【図３０】第１〜第３実施形態における表示装置を適用した電子機器の斜視図。
【図３１】従来技術の課題を説明する断面図。
【符号の説明】
【０１１５】
１，１０，１００，２００，３００、４００…表示装置、３…画素、３1…第１の画素、３2…第２の画素、７…表示面、１１…液晶パネル、２１…発光素子基板、２３…駆動素子基板、２５…液晶、２７…発光部、４３…画素群、５１…第１基板、５５…反射膜、５７ａ，５７ｂ…電極、５９…発光層、６３，１７３…偏光子、７３…樹脂層、７５…光吸収層、８５…第２基板、１１１…遮光膜、１３１…第１の範囲、１３３…第２の範囲、１３７ａ，１３７ｂ…適視範囲、１４７…発光層、１４９…発光素子、１５１…反射膜、１７１…光吸収膜、１７７…光透過層、５００…電子機器、５１０…表示部。
【図１】
2009063956.tif 000003
【図２】
2009063956.tif 000004
【図３】
2009063956.tif 000005
【図４】
2009063956.tif 000006
【図５】
2009063956.tif 000007
【図６】
2009063956.tif 000008
【図７】
2009063956.tif 000009
【図８】
2009063956.tif 000010
【図９】
2009063956.tif 000011
【図１０】
2009063956.tif 000012
【図１１】
2009063956.tif 000013
【図１２】
2009063956.tif 000014
【図１３】
2009063956.tif 000015
【図１４】
2009063956.tif 000016
【図１５】
2009063956.tif 000017
【図１６】
2009063956.tif 000018
【図１７】
2009063956.tif 000019
【図１８】
2009063956.tif 000020
【図１９】
2009063956.tif 000021
【図２０】
2009063956.tif 000022
【図２１】
2009063956.tif 000023
【図２２】
2009063956.tif 000024
【図２３】
2009063956.tif 000025
【図２４】
2009063956.tif 000026
【図２５】
2009063956.tif 000027
【図２６】
2009063956.tif 000028
【図２７】
2009063956.tif 000029
【図２８】
2009063956.tif 000030
【図２９】
2009063956.tif 000031
【図３０】
2009063956.tif 000032
【図３１】
2009063956.tif 000033